(57)【要約】【課題】携帯性に優れ、かつ、充電のし忘れを抑制する無線送信装置を提供する。【解決手段】レシーバ兼充電池４は、ＰＣ１から供給された電力をレシーバ側充電池４３に充電する。ユーザが作業終了後、ユーザが、レシーバ兼充電池４をワイヤレスマウス本体３に収納すると、ワイヤレスマウス本体３のマウス側ＵＳＢコネクタ部３１とレシーバ兼充電池４のレシーバ側ＵＳＢコネクタ部４１が接続し、レシーバ兼充電池４は、ワイヤレスマウス本体３に電力を供給する。ワイヤレスマウス本体３のマウス側充放電部３２は、供給された電力をマウス側充電池３３に充電する。【選択図】図２
2008187506.tif 000002
【特許請求の範囲】
【請求項１】
外部装置へ送信信号を送信する送信部と、
前記送信部へ電力を供給する内部充電池と、
外部から挿入される外部充電池が接続される接続部と、
前記接続部に前記外部充電池が接続されたとき、前記外部充電池によって前記内部充電池を充電させる制御部とを備え、
前記外部充電池は、前記送信部が前記外部装置へ前記送信信号を送信しているときに充電されることを特徴とする無線送信装置。
【請求項２】
前記外部充電池は、前記外部装置に接続されて前記送信部から前記送信信号を受信する受信部とともに１つの筐体に内蔵されることを特徴とする請求項１に記載の無線送信装置。
【請求項３】
前記外部充電池は、前記外部装置から充電されることを特徴とする請求項１に記載の無線送信装置。
【請求項４】
前記１つの筐体は、前記接続部に接続される筐体接続部を有することを特徴とする請求項２に記載の無線送信装置。
【請求項５】
前記接続部は、ＵＳＢ（Ｕｎｉｖｅｒｓａｌ  Ｓｅｒｉａｌ  Ｂｕｓ）規格、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格およびＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格のいずれか１つのコネクタを有することを特徴とする請求項１に記載の無線送信装置。
【請求項６】
前記筐体接続部は、ＵＳＢ規格、ＩＥＥＥ１３９４規格およびＨＤＭＩ規格のいずれか１つのコネクタを有することを特徴とする請求項４に記載の無線送信装置。
【請求項７】
前記筐体接続部は、前記外部装置と接続されることを特徴とする請求項４に記載の無線送信装置。
【請求項８】
前記接続部は、前記外部装置と所定のケーブルによって接続され、
前記制御部は、前記送信部に前記接続部および前記所定のケーブルを介して前記送信信号を前記外部装置に送信させることを特徴とする請求項１に記載の無線送信装置。
【請求項９】
前記所定のケーブルは、ＵＳＢ規格、ＩＥＥＥ１３９４規格およびＨＤＭＩ規格のいずれか１つの規格のケーブルであることを特徴とする請求項８に記載の無線送信装置。
【請求項１０】
前記接続部は、前記外部装置と所定のケーブルによって接続され、
前記制御部は、前記外部装置から供給された電力を前記接続部および前記所定のケーブルを介して前記内部充電池に充電させることを特徴とする請求項１に記載の無線送信装置。
【請求項１１】
前記所定のケーブルは、ＵＳＢ規格、ＩＥＥＥ１３９４規格およびＨＤＭＩ規格のいずれか１つの規格のケーブルであることを特徴とする請求項１０に記載の無線送信装置。
【発明の詳細な説明】
【技術分野】
【０００１】
本発明は、無線送信装置に関し、特に操作時に充電された外部充電池を収納可能で、収納された充電池から供給された電力によって充電される充電池を有する無線送信装置に関する。
【背景技術】
【０００２】
従来の技術として、内部電源として電池を有し、ユーザの操作信号を無線によって送信するワイヤレスマウスと、ＰＣ（Ｐｅｒｓｏｎａｌ  Ｃｏｍｐｕｔｅｒ）に接続され、ワイヤレスマウスから送信されたマウス操作信号を受信し、受信したマウス操作信号をＰＣに出力する受信器とで構成される無線送信装置が知られている（例えば、特許文献１参照）。
【０００３】
この無線送信装置によると、受信器をワイヤレスマウスに収納することができるので、当該ワイヤレスマウスを他のＰＣで使用しようとするときの携帯性に優れている。
【特許文献１】実用新案登録第３０９００６８号公報
【発明の開示】
【発明が解決しようとする課題】
【０００４】
しかし、従来の無送信装置によると、充電するためには、充電クレードルに接続しなければならないため、ＰＣの使用中は、充電することができず、また、ＰＣの使用後に充電を予定していたとしても、その充電操作を忘れることがあった。
【０００５】
従って、本発明の目的は、携帯性に優れ、かつ、充電のし忘れを抑制する無線送信装置を提供することにある。
【課題を解決するための手段】
【０００６】
本発明は上記目的を達成するため、外部装置へ送信信号を送信する送信部と、前記送信部へ電力を供給する内部充電池と、外部から挿入される外部充電池が接続される接続部と、前記接続部に前記外部充電池が接続されたとき、前記外部充電池によって前記内部充電池を充電させる制御部とを備え、前記外部充電池は、前記送信部が前記外部装置へ前記送信信号を送信しているときに充電されることを特徴とする無線送信装置を提供する。
【０００７】
このような構成によれば、携帯性に優れ、かつ、充電のし忘れを抑制することができる。
【発明の効果】
【０００８】
本発明によれば、携帯性に優れ、かつ、充電のし忘れを抑制する無線送信装置を提供することができる。
【発明を実施するための最良の形態】
【０００９】
以下に、本発明の無線送信装置の実施の形態を図面を参考にして詳細に説明する。
【００１０】
［第１の実施の形態］
（第１の実施の形態の構成）
図１は、本発明の第１の実施の形態に係るワイヤレスマウスの使用状況を示した概略図の一例である。
【００１１】
外部装置としてのＰＣ１は、ＨＤ（Ｈａｒｄ  Ｄｉｓｋ）やメモリ等の各種電子部品を収納する本体１０と、画像等を表示する画面１１と、ユーザの入力を受け付けるキーボード１２と、ＵＳＢ規格のケーブル等を接続可能なＰＣ側ＵＳＢコネクタ部１３とを有する。なお、外部装置は、ＰＣに限定されず、例えば、テレビジョン、ゲーム機およびその他家電製品等でも良い。
【００１２】
無線送信装置としてのワイヤレスマウス２は、ワイヤレスマウス本体３とレシーバ兼充電池４とで構成され、ワイヤレスマウス本体３は、レシーバ兼充電池４を収納可能で、ＵＳＢ規格のコネクタと接続するマウス側ＵＳＢコネクタ部３１と、左ボタン３４ａ、右ボタン３４ｂ、ホイール３４ｃおよびセンサ３４ｄからなる入力部とを有する。
【００１３】
なお、本実施の形態では、レシーバ兼充電池４を収納する場所は、ワイヤレスマウス本体３の後方であるが、前方および側面でも良く、これに限定されない。
【００１４】
左ボタン３４ａは、例えば、画面１１上に表示されるテキスト等の画像の選択に主に使用され、選択したい画像にポインタが重なったとき、ユーザが左ボタン３４ａを押し下げすることにより、その画像を選択することができる。
【００１５】
右ボタン３４ｂは、例えば、ユーザが押し下げすることにより、選択された画像に対する処理の一覧を表示し、その一覧から処理を選択することで、その処理を実行させることができる。
【００１６】
ホイール３４ｃは、例えば、円周方向に回転または、左右ボタン方向に倒すことによって、画面１１に表示された画像を画面１１に対して上下左右にスクロールすることができる。
【００１７】
センサ３４ｄは、ワイヤレスマウス本体３の下面に設けられ、例えば光学式の場合、ＬＥＤ（Ｌｉｇｈｔ  Ｅｍｉｔｔｉｎｇ  Ｄｉｏｄｅ）を用いた発光部（図示せず）と机やマウスパッド等からの光の反射を読み取る受光部（図示せず）とからなり、光の反射を読み取ることによってワイヤレスマウス本体３の移動量（時間、速度、方向等を含む）を検出し、その移動量情報を操作信号としてＰＣ１に送信すると、ＰＣ１は、その操作信号を処理し、ＰＣ１の画面１１に表示されたポインタをワイヤレスマウス本体３の移動量に対応して移動させる。
【００１８】
レシーバ兼充電池４は、ＰＣ側ＵＳＢコネクタ部１３やマウス側ＵＳＢコネクタ部３１と接続可能であり、ワイヤレスマウス本体３から送信された操作信号を受信してＰＣ１に送信し、ＰＣ１から供給された電力を内蔵する充電池に充電する。
【００１９】
図２は、本発明の第１の実施の形態に係るワイヤレスマウス本体とレシーバ兼充電池のブロック図の一例である。
【００２０】
（ワイヤレスマウス本体の構造）
ワイヤレスマウス本体３は、各部を統括的に制御するマウス側制御部３０と、ＵＳＢ規格のコネクタと接続可能で、レシーバ兼充電池４を収納することができる接続部としてのマウス側ＵＳＢコネクタ部３１と、充電池を管理するマウス側充放電部３２と、電力を供給または充電する内部充電池としてのマウス側充電池３３と、左ボタン３４ａ、右ボタン３４ｂ、ホイール３４ｃおよびセンサ３４ｄからなり、ユーザの操作に基づいて操作信号を作成する入力部３４と、入力部３４で作成された操作信号をレシーバ兼充電池４に送信するマウス側送信部３５とを有する。
【００２１】
（レシーバ兼充電池の構造）
レシーバ兼充電池４は、各部を統括的に制御するレシーバ側制御部４０と、ＵＳＢ規格のコネクタと接続可能なレシーバ側ＵＳＢコネクタ部４１と、充電池を管理するレシーバ側充放電部４２と、電力を供給または充電する外部充電池としてのレシーバ側充電池４３と、ワイヤレスマウス本体３から送信された操作信号を受信する受信部４４と、受信した操作信号を外部装置に出力する出力部４５を有する。
【００２２】
（ワイヤレスマウスの動作）
図３（ａ）は、本発明の第１の実施の形態に係るレシーバ兼充電池をワイヤレスマウス本体に収納する前の状態を表した図の一例であり、（ｂ）は、本発明の第１の実施の形態に係るレシーバ兼充電池をワイヤレスマウス本体に収納した後の状態を表した図の一例である。
【００２３】
ユーザは、ＰＣ１が置いてある机に座ると、ＰＣ１のスリープ状態を解除し、ＰＣ１を起動する。すでに、レシーバ兼充電池４は、ＰＣ１のＰＣ側ＵＳＢコネクタ部１３に接続されているとする。
【００２４】
ユーザがワイヤレスマウス本体３を移動させたとき、ワイヤレスマウス本体３のマウス側制御部３０は、センサ３４ｄからの移動量情報に基づいてワイヤレスマウス本体３が移動したと判断し、省電力状態を解除してマウス側充放電部３２にマウス側充電池３３から通常使用する電力を供給させるように指示する。
【００２５】
ユーザが、画面１１に表示された画像を見ながら、ワイヤレスマウス本体３を移動させたとき、センサ３４ｄは、光の反射を読み取って移動量情報を作成し、マウス側制御部３０は、移動量情報を操作情報としてマウス側送信部３５からレシーバ兼充電池４に送信する。
【００２６】
レシーバ兼充電池４は、操作情報を受信部４４で受信し、レシーバ側制御部４０は、出力部４５に接続されたＰＣ１に受信した操作情報を出力させる。
【００２７】
ＰＣ１は、レシーバ兼充電池４から操作情報を受け取ると、処理し、画面１１上のポインタをワイヤレスマウス本体３の移動量に対応させて移動させる。
【００２８】
ユーザは操作が終了した後、ＰＣ１をスリープ状態にさせ、レシーバ兼充電池４を図３（ａ）に示すマウス側ＵＳＢコネクタ部３１に挿入する。その結果、ユーザは、ワイヤレスマウス本体３にレシーバ兼充電池４が収納されるので、ワイヤレスマウス本体３とレシーバ兼充電池４を容易に持ち運ぶことができる。
【００２９】
レシーバ兼充電池４は、図３（ｂ）に示すように、ワイヤレスマウス本体３に収納され、このとき、レシーバ側ＵＳＢコネクタ部４１とマウス側ＵＳＢコネクタ部３１が接続し、ワイヤレスマウス本体３は、省電力状態になる。
【００３０】
ワイヤレスマウス本体３に収納されたレシーバ兼充電池４のレシーバ側制御部４０は、レシーバ側ＵＳＢコネクタ部４１とマウス側ＵＳＢコネクタ部３１の接続が確認されると、レシーバ側充放電部４２にレシーバ側充電池４３の電力をマウス側充電池３３に供給させるように指示する。
【００３１】
レシーバ側充放電部４２は、レシーバ側制御部４０からの指示に基づいてマウス側充電池３３に電力を供給する。
【００３２】
電力の供給を受けたマウス側制御部３０は、マウス側充放電部３２にマウス側充電池３３に電力を充電させるよう指示し、マウス側充放電部３２は、マウス側充電池３３に供給を受けた電力を充電させる。
【００３３】
マウス側充放電部３２は、マウス側充電池３３の充電が終了すると、レシーバ兼充電池４のレシーバ側充放電部４２にレシーバ側充電池４３からの電力の供給を終了するように指示する。
【００３４】
レシーバ側充放電部４２は、マウス側充放電部３２の指示に基づいてレシーバ側充電池４３からの電力の供給を終了させる。
【００３５】
その後ユーザが、ＰＣ１のスリープ状態を解除し、ＰＣ１を起動し、ワイヤレスマウス本体３に収納されたレシーバ兼充電池４を取り出し、ＰＣ１のＰＣ側ＵＳＢコネクタ部１３にレシーバ兼充電池４を接続する。
【００３６】
なお、ワイヤレスマウス本体３に収納されたレシーバ兼充電池４の取り出し方法は、レシーバ兼充電池４を軽く押し込むと飛び出す機構でも良いし、マウス側ＵＳＢコネクタ部３１の挿入口付近にくぼみを設け、手でレシーバ兼充電池４をつまみ出せるようにしても良し、取り出しボタンを設け、取り出しボタンを押すことによってレシーバ兼充電池４が排出される機構でも良く、これに限定されない。
【００３７】
ＰＣ１のＰＣ側ＵＳＢコネクタ部１３に接続したレシーバ兼充電池４は、ＰＣ１からの電力の供給を受けると、レシーバ側充放電部４２に指示し、レシーバ側充電池４３を充電させる。この一連の動作を繰り返すことによって、常にワイヤレスマウス本体３のマウス側充電池３３が充電されることになる。
【００３８】
（第１の実施の形態の効果）
上記した第１の実施の形態によると、ワイヤレスマウス２は、ユーザがレシーバ兼充電池４をＰＣ１に接続して作業を行う間に、レシーバ兼充電池４のレシーバ側充電池４３は充電され、ユーザがレシーバ兼充電池４をワイヤレスマウス本体３に収納し、ＰＣ１とともに移動したり作業を再開したりするまでの間に、ワイヤレスマウス本体３のマウス側充電池３３は充電されるので、ユーザの充電のし忘れを抑制することができ、レシーバ兼充電池４をワイヤレスマウス本体３に収納することができるので、携帯性にも優れている。
【００３９】
［第２の実施の形態］
図４は、本発明の第２の実施の形態に係るワイヤレスマウスの使用状況を示した概略図の一例であり、ＰＣ１が、ワイヤレスマウスと共通規格の受信機能を備えており、レシーバ兼充電池４の代わりに受信機能を持たない外部充電池を使用した場合について説明する。なお、以下の説明において、第１の実施の形態と同一の構成および機能を有する部分については同一の符号を付している。
【００４０】
ユーザは、一例として、外部充電池５を２つ用意し、１つは、ワイヤレスマウス本体３に接続し、もう１つは、ＰＣ側ＵＳＢコネクタ部１３に接続し、ＰＣ側ＵＳＢコネクタ部１３に接続された外部充電池５は、ＰＣ１から電力の供給を受け充電する。
【００４１】
外部充電池５は、充電が終了したことを図示しない外部充電池５に設けられたＬＥＤランプの点灯でユーザに知らせるようにしても良いし、これに限定されない。
【００４２】
ユーザは、一例として、他のＰＣでワイヤレスマウス本体３を使用しようとするとき、この外部充電池５を交互にワイヤレスマウス本体３に接続することによって、充電池の充電のし忘れを抑制することができる。
【００４３】
ここで、外部充電池５が、１つであっても、作業終了後、外部充電池５をＰＣ１のＰＣ側ＵＳＢコネクタ部１３に接続することで、ＰＣ１から電力の供給を受け、外部充電池５は充電されるので、ユーザは、充電のし忘れを抑制することができる。
【００４４】
なお、本実施の形態において、ＰＣ１に接続されるのは、外部充電池５であったが、レシーバ兼充電池４であっても良い。
【００４５】
［第３の実施の形態］
図５は、本発明の第３の実施の形態に係るワイヤレスマウス本体をＰＣにＵＳＢケーブルを用いて接続した図の一例である。
【００４６】
ＵＳＢケーブル６は、第１ＵＳＢケーブルコネクタ部６０と第２ＵＳＢケーブルコネクタ部６１を有し、それぞれがＰＣ側ＵＳＢコネクタ部１３およびマウス側ＵＳＢコネクタ部３１と接続する。
【００４７】
ワイヤレスマウス２は、一例として、ワイヤレスマウス本体３のマウス側充電池３３の容量が不足して動作しなくなった場合、ＰＣ側ＵＳＢコネクタ部１３に第１ＵＳＢケーブルコネクタ部６０を、マウス側ＵＳＢコネクタ部３１に第２ＵＳＢケーブルコネクタ部６１を接続することで、通常のマウスと同じように使うことができる。このとき、操作信号は、ＵＳＢケーブル６からＰＣ１に送信するようにしても良いし、マウス側送信部３５からレシーバ兼充電池４に無線で送信するようにしても良い。
【００４８】
このとき、ユーザは、レシーバ側充電池４３の容量が不足したレシーバ兼充電池４をＵＳＢケーブル６が接続されていないＰＣ側ＵＳＢコネクタ部１３に接続する。
【００４９】
レシーバ兼充電池４のレシーバ側制御部４０は、ＰＣ１からの電力の供給を受けると、レシーバ側充放電部４２にレシーバ側充電池４３の充電を指示し、レシーバ側充放電部４２は、レシーバ側充電池４３の充電が終了するまで、レシーバ側充電池４３を充電する。このとき、充電が終了したことを図示しないレシーバ兼充電池４に設けられたＬＥＤランプの点灯でユーザに知らせるようにしても良いし、これに限定されない。
【００５０】
またこのとき、ワイヤレスマウス本体３のマウス側制御部３０は、マウス側充放電部３２にＰＣ１から供給される電力をマウス側充電池３３に充電するように指示し、マウス側充放電部３２は、マウス側充電池３３を充電させる。
【００５１】
ユーザは、ワイヤレスマウス本体３のマウス側充電池３３の充電が終了、または、ワイヤレスマウス本体３が機能するのに十分充電されたとき、接続していたＵＳＢケーブル６を取り外し、再び無線で作業を行うことができる。
【００５２】
ここで、マウス側充電池３３の充電が終了したことを図示しないワイヤレスマウス本体３に設けられたＬＥＤランプの点灯でユーザに知らせるようにしても良いし、これに限定されない。
【００５３】
よって、ユーザが作業をしているとき、ワイヤレスマウス本体３のマウス側充電池３３の容量が不足するようなことがあったとしも、ＵＳＢケーブル６を接続することによって、作業を続けることができる。
【００５４】
なお、上記した実施の形態において、コネクタおよびケーブルは、ＵＳＢ規格に限定されず、ＩＥＥＥ１３９４やＨＤＭＩ等の規格でも良いし、これに限定されない。また、ＵＳＢコネクタの形状は、Ａタイプ、Ｂタイプのいずれでも良く、また、これらの組合せでも良いし、これに限定されない。
【００５５】
また、上記した実施の形態は、一例として無線送信装置としてワイヤレスマウス２を例にとったが、タブレット、キーボード、ジョイスティク、およびゲーム用のコントローラであっても良く、これに限定されない。
【００５６】
さらに、本発明は、上記した実施の形態に限定されず、本発明の技術思想を逸脱あるいは変更しない範囲内で種々の変形が可能である。
【図面の簡単な説明】
【００５７】
【図１】本発明の第１の実施の形態に係るワイヤレスマウスの使用状況を示した概略図の一例である。
【図２】本発明の第１の実施の形態に係るワイヤレスマウス本体とレシーバ兼充電池のブロック図の一例である。
【図３】（ａ）は、本発明の第１の実施の形態に係るレシーバ兼充電池をワイヤレスマウス本体に収納する前の状態を表した図の一例であり、（ｂ）は、本発明の第１の実施の形態に係るレシーバ兼充電池をワイヤレスマウス本体に収納した後の状態を表した図の一例である。
【図４】本発明の第２の実施の形態に係るワイヤレスマウスの使用状況を示した概略図の一例である。
【図５】本発明の第３の実施の形態に係るワイヤレスマウス本体をＰＣにＵＳＢケーブルを用いて接続した図の一例である。
【符号の説明】
【００５８】
１・・・ＰＣ、２・・・ワイヤレスマウス、３・・・ワイヤレスマウス本体、４・・・レシーバ兼充電池、５・・・外部充電池、６・・・ＵＳＢケーブル、１０・・・本体、１１・・・画面、１２・・・キーボード、１３・・・ＰＣ側ＵＳＢコネクタ部、３０・・・マウス側制御部、３１・・・マウス側ＵＳＢコネクタ部、３２・・・マウス側充放電部、３３・・・マウス側充電池、３４・・・入力部、３４ａ・・・左ボタン、３４ｂ・・・右ボタン、３４ｃ・・・ホイール、３４ｄ・・・センサ、３５・・・マウス側送信部、４０・・・レシーバ側制御部、４１・・・レシーバ側ＵＳＢコネクタ部、４２・・・レシーバ側充放電部、４３・・・レシーバ側充電池、４４・・・受信部、４５・・・出力部、６０・・・第１ＵＳＢケーブルコネクタ部、６１・・・第２ＵＳＢケーブルコネクタ部
【図１】
2008187506.tif 000003
【図２】
2008187506.tif 000004
【図３】
2008187506.tif 000005
【図４】
2008187506.tif 000006
【図５】
2008187506.tif 000007